(57)【要約】【課題】  従来のコレステリック液晶の駆動装置は、リセット期間、選択期間及び保持期間からなる周期に従い駆動することより画像を表示することから、前記画像の表示を高速に行うことができなかった。【解決手段】  本発明に係るコレステリック液晶の駆動装置は、第１の周期及び第２の周期に従って第１の走査線上の前記コレステリック液晶を駆動することにより、前記第１の走査線上のコレステリック液晶が表示すべき前記画像データの一部を表示する第１の駆動回路と、第３の周期又は第４の周期に従って第２の走査線上のコレステリック液晶を駆動することにより、前記第２の走査線上のコレステリック液晶が表示すべき前記画像データの他部を表示する第２の駆動回路とを含む。【選択図】  図１
2005208343.tif 000002
【特許請求の範囲】
【請求項１】
複数の走査線及び複数のデータ線が相互に交差する位置に各々が設けられた複数のコレステリック液晶であって、前記走査線及び前記データ線間の電圧によりＰ配向、Ｆ配向及びＨ配向のいずれかに規定される前記複数のコレステリック液晶により表示すべき２階調以上の画像データのうち第１の走査線上のコレステリック液晶に対応する前記画像データの一部が中間調以外の同一階調に揃っていない前記第１の走査線、及び前記画像データのうち第２の走査線上のコレステリック液晶に対応する前記画像データの他部が前記中間調以外の同一階調に揃っている前記第２の走査線を検出する検出回路と、
前記検出回路による前記第１の走査線の検出の結果に従って、前記コレステリック液晶をＨ配向にリセットするためのリセット期間、前記Ｈ配向にリセットされた前記コレステリック液晶をＴＰ配向に選択するための選択期間、及び前記ＴＰ配向に選択された前記コレステリック液晶をＦ配向に保持するための保持期間からなる第１の周期、及び前記コレステリック液晶をＨ配向にリセットするためのリセット期間、前記Ｈ配向にリセットされた前記コレステリック液晶をＨ配向に選択するための選択期間、及び前記Ｈ配向に選択された前記コレステリック液晶をＰ配向に保持するための保持期間からなる第２の周期に従って前記第１の走査線上の前記コレステリック液晶を駆動することにより、前記第１の走査線上のコレステリック液晶が表示すべき前記画像データの前記一部を表示する第１の駆動回路と、
前記検出回路による前記第２の走査線の検出の結果に従って、前記コレステリック液晶をＨ配向にリセットするためのリセット期間及び前記Ｈ配向にリセットされた前記コレステリック液晶をＦ配向に保持するための保持期間からなる第３の周期、又は前記コレステリック液晶をＨ配向にリセットするためのリセット期間であって当該リセット期間の終期に前記Ｈ配向にリセットされている前記コレステリック液晶をＴＰ配向に遷移させる前記リセット期間からなる第４の周期に従って前記第２の走査線上のコレステリック液晶を駆動することにより、前記第２の走査線上のコレステリック液晶が表示すべき前記画像データの前記他部を表示する第２の駆動回路とを含むことを特徴とするコレステリック液晶の駆動装置。
【請求項２】
前記検出回路は、２以上の走査線からなる走査線群であって各走査線が前記第２の走査線に該当する少なくとも１つの前記走査線群を検出し、
前記第２の駆動回路は、一の走査線群に含まれる前記２以上の走査線を前記第３の周期又は第４の周期に従って同期的に駆動する第１の同期駆動、又は非同期的に駆動する第１の非同期駆動を行うことを特徴とする請求項１記載のコレステリック液晶の駆動装置。
【請求項３】
前記第２の駆動回路は、他の一の走査線群に含まれる前記２以上の走査線を前記第３の周期又は前記第４の周期に従って同期的に駆動する第２の同期駆動を、前記第１の同期駆動と同期的に又は非同期的に行うことを特徴とする請求項２記載のコレステリック液晶の駆動装置。
【請求項４】
前記第２の駆動回路は、他の一の走査線群に含まれる前記２以上の走査線を前記第３の周期又は前記第４の周期に従って非同期的に駆動する第２の非同期駆動を、前記第１の非同期駆動と同期的に又は非同期的に行うことを特徴とする請求項２記載のコレステリック液晶の駆動装置。
【請求項５】
複数の走査線及び複数のデータ線が相互に交差する位置に各々が設けられた複数のコレステリック液晶であって、前記走査線及び前記データ線間の電圧によりＰ配向、Ｆ配向及びＨ配向のいずれかに規定される前記複数のコレステリック液晶により表示すべき２階調以上の画像データのうち第１の走査線上のコレステリック液晶に対応する前記画像データの一部が中間調以外の同一階調に揃っていない前記第１の走査線、及び前記画像データのうち第２の走査線上のコレステリック液晶に対応する前記画像データの他部が前記中間調以外の同一階調に揃っている前記第２の走査線を検出する検出工程と、
前記検出工程による前記第１の走査線の検出の結果に従って、前記コレステリック液晶をＨ配向にリセットするためのリセット期間、前記Ｈ配向にリセットされた前記コレステリック液晶をＴＰ配向に選択するための選択期間、及び前記ＴＰ配向に選択された前記コレステリック液晶をＦ配向に保持するための保持期間からなる第１の周期、及び前記コレステリック液晶をＨ配向にリセットするためのリセット期間、前記Ｈ配向にリセットされた前記コレステリック液晶をＨ配向に選択するための選択期間、及び前記Ｈ配向に選択された前記コレステリック液晶をＰ配向に保持するための保持期間からなる第２の周期に従って前記第１の走査線上の前記コレステリック液晶を駆動することにより、前記第１の走査線上のコレステリック液晶が表示すべき前記画像データの前記一部を表示する第１の駆動工程と、
前記検出工程による前記第２の走査線の検出の結果に従って、前記コレステリック液晶をＨ配向にリセットするためのリセット期間及び前記Ｈ配向にリセットされた前記コレステリック液晶をＦ配向に保持するための保持期間からなる第３の周期、又は前記コレステリック液晶をＨ配向にリセットするためのリセット期間であって当該リセット期間の終期に前記Ｈ配向にリセットされている前記コレステリック液晶をＴＰ配向に遷移させる前記リセット期間からなる第４の周期に従って前記第２の走査線上のコレステリック液晶を駆動することにより、前記第２の走査線上のコレステリック液晶が表示すべき前記画像データの他部を表示する第２の駆動工程とを含むことを特徴とするコレステリック液晶の駆動方法。
【請求項６】
前記検出工程は、２以上の走査線からなる走査線群であって各走査線が前記第２の走査線に該当する少なくとも１つの前記走査線群を検出し、
前記第２の駆動工程は、一の走査線群に含まれる前記２以上の走査線を前記第３の周期又は第４の周期に従って同期的に駆動する第１の同期駆動、又は非同期的に駆動する第１の非同期駆動を行うことを特徴とする請求項５記載のコレステリック液晶の駆動方法。
【請求項７】
前記第２の駆動工程は、他の一の走査線群に含まれる前記２以上の走査線を前記第３の周期又は前記第４の周期に従って同期的に駆動する第２の同期駆動を、前記第１の同期駆動と同期的に又は非同期的に行うことを特徴とする請求項６記載のコレステリック液晶の駆動方法。
【請求項８】
前記第２の駆動工程は、他の一の走査線群に含まれる前記２以上の走査線を前記第３の周期又は前記第４の周期に従って非同期的に駆動する第２の非同期駆動を、前記第１の非同期駆動と同期的に又は非同期的に行うことを特徴とする請求項６記載のコレステリック液晶の駆動方法。
【発明の詳細な説明】
【技術分野】
【０００１】
本発明は、コレステリック液晶の駆動装置及び当該駆動装置に使用される駆動方法に関する。
【背景技術】
【０００２】
従来のコレステリック液晶の駆動装置には、複数のコレステリック液晶が用いられている。当該複数のコレステリック液晶は、複数の走査線（ゲート線）及び複数のデータ線（ソース線）が相互に交差する位置に設けられており、また、前記走査線及び前記データ線間の電圧により液晶分子の螺旋軸がＰ配向、Ｆ配向及びＨ配向のいずれかに規定される。従来のコレステリック液晶の駆動装置は、前記配向に応じて光を選択的に反射し又は透過することにより画像を表示する。ここで、従来の液晶の駆動方法として、例えば、特許文献１に記載の駆動方法が知られている。
【０００３】
【特許文献１】ＵＳＰ５、７４８、２７７号
【発明の開示】
【発明が解決しようとする課題】
【０００４】
しかしながら、従来のコレステリック液晶の駆動装置では、前記画像の内容の如何に拘らず、前記コレステリック液晶をリセットし所望の配向に選択し所望の配向に保持するためのリセット期間、選択期間及び保持期間の３つの期間からなる周期に従う駆動を行うことにより前記画像を表示することから、前記画像の表示を高速に行うことができないという問題があった。
【課題を解決するための手段】
【０００５】
本発明に係るコレステリック液晶の駆動は、複数の走査線及び複数のデータ線が相互に交差する位置に各々が設けられた複数のコレステリック液晶であって、前記走査線及び前記データ線間の電圧によりＰ配向、Ｆ配向及びＨ配向のいずれかに規定される前記複数のコレステリック液晶により表示すべき２階調以上の画像データのうち第１の走査線上のコレステリック液晶に対応する前記画像データの一部が中間調以外の同一階調に揃っていない前記第１の走査線、及び前記画像データのうち第２の走査線上のコレステリック液晶に対応する前記画像データの他部が前記中間調以外の同一階調に揃っている前記第２の走査線を検出する検出機能と、前記検出機能による前記第１の走査線の検出の結果に従って、前記コレステリック液晶をＨ配向にリセットするためのリセット期間、前記Ｈ配向にリセットされた前記コレステリック液晶をＴＰ配向に選択するための選択期間、及び前記ＴＰ配向に選択された前記コレステリック液晶をＦ配向に保持するための保持期間からなる第１の周期、及び前記コレステリック液晶をＨ配向にリセットするためのリセット期間、前記Ｈ配向にリセットされた前記コレステリック液晶をＨ配向に選択するための選択期間、及び前記Ｈ配向に選択された前記コレステリック液晶をＰ配向に保持するための保持期間からなる第２の周期に従って前記第１の走査線上の前記コレステリック液晶を駆動することにより、前記第１の走査線上のコレステリック液晶が表示すべき前記画像データの前記一部を表示する第１の駆動機能と、前記検出機能による前記第２の走査線の検出の結果に従って、前記コレステリック液晶をＨ配向にリセットするためのリセット期間及び前記Ｈ配向にリセットされた前記コレステリック液晶をＦ配向に保持するための保持期間からなる第３の周期、又は前記コレステリック液晶をＨ配向にリセットするためのリセット期間であって当該リセット期間の終期に前記Ｈ配向にリセットされている前記コレステリック液晶をＴＰ配向に遷移させる前記リセット期間からなる第４の周期に従って前記第２の走査線上のコレステリック液晶を駆動することにより、前記第２の走査線上のコレステリック液晶が表示すべき前記画像データの前記他部を表示する第２の駆動機能とを含む。
【０００６】
本発明に係るコレステリック液晶の駆動によれば、前記第１の駆動機能は、前記検出機能が検出した前記第１の走査線上のコレステリック液晶を、上記した従来の周期に相当する前記第１又は第２の周期に従って駆動し、他方で、前記第２の駆動機能は、前記検出機能が検出した前記第２の走査線上のコレステリック液晶を、前記第１及び第２の周期より短い周期である前記第３又は第４の周期に従って駆動することから、前記画像の表示を従来に比して高速に行うことが可能となる。
【０００７】
上記した本発明に係るコレステリック液晶の駆動では、前記検出機能は、２以上の走査線からなる走査線群であって各走査線が前記第２の走査線に該当する少なくとも１つの前記走査線群を検出し、前記第２の駆動機能は、一の走査線群に含まれる前記２以上の走査線を前記第３の周期又は第４の周期に従って同期的に駆動する第１の同期駆動、又は非同期的に駆動する第１の非同期駆動を行う。
上記した本発明に係るコレステリック液晶の駆動では、前記第２の駆動機能は、他の一の走査線群に含まれる前記２以上の走査線を前記第３の周期又は前記第４の周期に従って同期的に駆動する第２の同期駆動を、前記第１の同期駆動と同期的に又は非同期的に行う。
【０００８】
上記した本発明に係るコレステリック液晶の駆動では、前記第２の駆動機能は、他の一の走査線群に含まれる前記２以上の走査線を前記第３の周期又は前記第４の周期に従って非同期的に駆動する第２の非同期駆動を、前記第１の非同期駆動と同期的に又は非同期的に行う。
【発明を実施するための最良の形態】
【０００９】
本発明に係るコレステリック液晶の駆動装置の具体例について図面を参照して説明する。
【００１０】
（具体例）
図１は、具体例のコレステリック液晶の駆動装置の構成を示すブロック図であり、図２は、具体例のコレステリック液晶の駆動装置が表示する画像を示す。具体例のコレステリック液晶の駆動装置１（以下、「駆動装置１」と略称する。）は、図１に示されるように、図２に図示された、文字行及び行間（余白を含む。）からなる取扱説明書のような２階調以上の画像８を表示すべく、コレステリック液晶表示体２と、フレームメモリ３と、行間解析部４と、走査制御部５と、ソースドライバ６と、ゲートドライバ７とを有する。
【００１１】
コレステリック液晶表示体２は、各々がデータ線（ソース線）Ｘ１〜Ｘｍ及び走査線（ゲート線）Ｙ１〜Ｙｎの交差する位置に設けられた複数の画素Ｐ１１〜Ｐｍｎからなる。
【００１２】
図３は、画素の配向を示す断面図である。画素Ｐ１１〜Ｐｍｎは、従来知られたように、図３に示される透明電極２ａ、コレステリック液晶２ｂ、透明電極２ｃ、及び、黒色である光吸収層２ｄからなり、コレステリック液晶２ｂの分子の螺旋状のピッチに応じて、即ち、その配向に応じて、特定の波長の光を選択的に反射し又は透過する性質を有する。
【００１３】
コレステリック液晶２ｂは、図３（Ａ）に図示されたプレーナ配向（以下、「Ｐ配向」という。）、図３（Ｂ）に図示されたフォーカルコニック配向（以下、「Ｆ配向」という。）、及び図３（Ｃ）に図示されたホメオトロピック配向（以下、「Ｈ配向」という。）の３つの配向に変わることができる。コレステリック液晶２ｂは、図３（Ａ）のＰ配向のとき、選択的な反射の機能により”白”を表示し、図３（Ｂ）のＦ配向及び図３（Ｃ）のＨ配向のとき、透過の機能により光吸収層２ｄの”黒”を表示する。
【００１４】
Ｐ配向及びＦ配向は安定であることから、コレステリック液晶２ｂに電圧が印加されなくなった後にもＰ配向、Ｆ配向は維持される。Ｈ配向であるコレステリック液晶２ｂは、印加電圧を急激に降下させることにより、Ｐ配向へ遷移し（以下、「過渡プレーナ遷移（ＴＰ配向）」という。）、過渡プレーナ遷移（ＴＰ配向）を経て印加電圧を緩やかに降下させることにより、Ｆ配向へ遷移する。
【００１５】
図４は、コレステリック液晶への印加電圧と配向の種類（反射率）との関係を示すグラフである。コレステリック液晶２ｂは、初期配向（電圧が印加されている状態から電圧が印加されない状態に切り換わった後の配向）がＰ配向である場合、印加電圧が０以上Ｖ１以下であるときＰ配向であり、印加電圧がＶ１以上Ｖ２以下であるときＰ配向からＦ配向へ遷移し、印加電圧がＶ２以上Ｖ３以下であるときＦ配向であり、印加電圧がＶ３以上であるときＨ配向である。他方で、コレステリック液晶２ｂは、初期配向がＰ配向である場合、印加電圧が０以上Ｖ２以下であるときＰ配向であり、印加電圧がＶ３以上のときＨ配向である。
【００１６】
図１に戻り、フレームメモリ３は、図２に図示された、コレステリック液晶表示体２が従来知られた線順次駆動により表示すべき画像８を記憶する。
【００１７】
検出回路である行間解析部４は、フレームメモリ３に記憶された画像８について、ゲート線Ｙ１〜Ｙｎが走査すべき画像部分が、文字行であるか、行間であるか、換言すれば、中間調以外（即ち、白又は黒）の同一階調に揃っていない画像部分であるか、中間調以外の同一階調に揃っている画像部分であるかを解析する。より詳しくは、行間解析部４は、例えば、ゲート線Ｙ１上の画素Ｐ１１〜Ｐｍ１が表示すべき画像部分に”白”、”黒”が混在しているとき、ゲート線Ｙ１を”文字行”であると判断し、他方で、”白”及び”黒”のいずれかのみが存在するとき、ゲート線Ｙ１を”行間”であると判断する。
【００１８】
第１の駆動回路及び第２の駆動回路である走査制御部５は、行間解析部４による画像８の解析結果に基づき、後述の文字行駆動法（図５）又は行間駆動法（図６）に従って、ゲートドライバ７にゲート線Ｙ１〜Ｙｍを駆動させる。
【００１９】
ソースドライバ６は、フレームメモリ３に記憶された画像８に対応したデータ電圧をソース線Ｘ１〜Ｘｍに印加し、また、ゲートドライバ７は、走査制御部５の制御の下、ゲート線Ｙ１〜Ｙｎにゲート電圧を印加する。
【００２０】
図５は、文字行駆動法によるコレステリック液晶の駆動動作を示すタイムチャートである。文字行駆動法では、図５（Ａ）、（Ｂ）に示されるように、リセット期間Ｔｒ、選択期間Ｔｓ、及び保持期間Ｔｈの３つの期間からなる１周期において、各期間毎に、例えば、ゲート線Ｙ１上の画素Ｐ１１〜Ｐｍ１への印加電圧を変えることにより、当該画素Ｐ１１〜Ｐｍ１のコレステリック液晶２ｂの配向を変える。
【００２１】
より具体的には、コレステリック液晶２ｂをＦ配向にすることにより”黒”を表示すべく、図５（Ａ）に示されるように、リセット期間Ｔｒでリセット電圧（Ｖ３以上）を印加することによりＨ配向にし、選択期間Ｔｓで選択電圧（Ｖ１以上Ｖ２以下）を印加することによりＴＰ配向にし、保持期間Ｔｈで保持電圧（Ｖ２以上Ｖ３以下）を印加することによりＦ配向にし、これにより、コレステリック液晶２ｂは、保持期間Ｔｈの後にもＦ配向の状態、すなわち、”黒”の状態を維持する。他方で、コレステリック液晶２ｂをＰ配向にすることにより”白”を表示すべく、図５（Ｂ）に示されるように、リセット期間Ｔｒでリセット電圧（Ｖ３以上）を印加することによりＨ配向にし、選択期間Ｔｓで選択電圧（Ｖ３以上）を印加することによりＨ配向のままにし、保持期間Ｔｈで（Ｖ３以上）を印加することによりＨ配向を維持させ、これにより、コレステリック液晶２ｂは、保持期間Ｔｈの後、Ｐ配向の状態、即ち、”白”の状態を維持する。
【００２２】
図６は、行間駆動法によるコレステリック液晶の駆動動作を示すタイムチャートである。行間駆動法では、図６（Ａ）に示されるように、リセット期間Ｔｒ及び保持期間Ｔｈの２つの期間からなる１周期において、各期間毎に、例えば、ゲート線Ｙ１上の画素Ｐ１１〜Ｐｍ１への印加電圧を変えることにより、画素Ｐ１１〜Ｐｍ１のコレステリック液晶２ｂの配向を変え、また、図６（Ｂ）に示されるように、リセット期間Ｔｒのみからなる１周期において、例えば、ゲート線Ｙ１上の画素Ｐ１１〜Ｐｍ１への印加電圧を変えることにより、画素Ｐ１１〜Ｐｍ１のコレステリック液晶２ｂの配向を変える。
【００２３】
より具体的には、行間駆動法では、コレステリック液晶２ｂをＦ配向にすることにより”黒”を表示すべく、図６（Ａ）に示されるように、リセット期間Ｔｒでリセット電圧（Ｖ３以上）の印加によりＨ配向にし、保持期間Ｔｈで保持電圧（Ｖ２以上Ｖ３以下）の印加によりＦ配向にし、これにより、コレステリック液晶２ｂは、保持期間Ｔｈの後にＦ配向の状態、即ち、”黒”の状態を維持する。他方で、コレステリック液晶２ｂをＰ配向にすることにより”白”を表示すべく、図６（Ｂ）に示されるように、リセット期間Ｔｒでリセット電圧（Ｖ３以上）の印加によりＨ配向にし、リセット期間Ｔｒの後にＴＰ配向を経てＰ配向に遷移させ、これにより、コレステリック液晶２ｂは、選択期間Ｔｓの終了後、Ｐ配向の状態、即ち、”白”の状態を維持する。
【００２４】
文字行駆動法は、線順次駆動に起因して、即ち、例えば、ゲート線Ｙ１上の画素Ｐ１１〜Ｐｍ１のための選択期間Ｔｓとゲート線Ｙ２上の画素Ｐ１２〜Ｐｍ２のための選択期間Ｔｓとが相互に重複してはならないことから、パイプライン方式を採用する。
【００２５】
図７は、パイプライン方式を用いた文字行駆動法の駆動動作を示すタイムチャートである。パイプライン方式を用いる文字行駆動法では、ゲート線Ｙ１〜Ｙｎ間で、選択電圧Ｖｓが印加される選択期間Ｔｓが相互に重複しないように、ゲート線Ｙ１〜Ｙｎの周期が割り当てられている。例えば、画像８の一部である文字行ＣＨ１を表示すべきゲート線Ｙ１の選択時間Ｔｓ１と、画像８の他部である行間ＢＬ１を表示すべきゲート線Ｙ２の選択期間Ｔｓ２と、画像８の更に他部である行間ＢＬ２を表示すべきゲート線Ｙ３の選択期間Ｔｓ３とは、相互に重複しないように配置されている。
【００２６】
上述したように、駆動装置１は、図５に図示の文字行駆動法であって図７に図示のパイプライン方式を採用するもの、及び図６に図示の行間駆動法を用いる。以下、駆動装置１の動作について説明する。
【００２７】
図８は、具体例のコレステリック液晶の駆動装置の駆動動作を示すタイムチャートである。以下、駆動装置１の駆動動作について、図８を参照して説明する。説明及び理解を容易にすべく、図２に図示された画像８について、文字は、”黒”であり、行間は、”白”であり、図１に図示された画素Ｐ１１〜Ｐｍｎに印加される電圧が、ゲート線Ｙ１〜Ｙｎに印加されるゲート電圧のみにより規定されることを想定する。
【００２８】
行間解析部４は、フレームメモリ３内に記憶された画像８のうち、ゲート線Ｙ１〜Ｙｎの各々に対応する画像部分が文字行であるか又は行間であるかを解析する。これにより、行間解析部４は、図８に示されるように、例えば、ゲート線Ｙ１が表示すべき画像部分が文字行ＣＨ１であり、走査線群であるゲート線Ｙ２〜Ｙ４が表示すべき画像部分が行間ＢＬ１〜ＢＬ３であり、ゲート線Ｙ５が表示すべき画像部分が文字行ＣＨ２であること等を知得する。行間解析部４は、さらに、走査制御部５に、文字行ＣＨ１を表示すべきゲート線Ｙ１をパイプライン方式の文字行駆動法により駆動すること、行間ＢＬ１〜ＢＬ３を表示すべきゲート線Ｙ２〜Ｙ４を行間駆動法により駆動すること、文字行ＣＨ２を表示すべきゲート線Ｙ５をパイプライン方式の文字行駆動法により駆動すること、及びその他のゲート線Ｙ６〜Ｙｎについても画像部分が文字行であるか行間であるかに応じてパイプライン方式の文字行駆動法、又は行間駆動法により駆動することを指示する。
【００２９】
行間解析部４から前記指示を受けると、走査制御部５は、ゲートドライバ７に、ゲート線Ｙ１をパイプライン方式の文字行駆動法により駆動させ、ゲート線Ｙ２〜Ｙ４を行間駆動法により駆動させ、ゲート線Ｙ５をパイプライン方式の文字行駆動法により駆動させ、その他のゲート線Ｙ６〜Ｙｎについても同様にパイプライン方式の文字行駆動法、又は行間駆動法により駆動させる。
【００３０】
より詳しくは、ゲートドライバ７は、ゲート線Ｙ１上の画素Ｐ１１〜Ｐｍ１に、時刻ｔ０から時刻ｔ４までのリセット期間Ｔｒに亘りリセット電圧Ｖｒを印加し、時刻ｔ４から時刻ｔ６までの選択期間Ｔｓに亘り選択電圧Ｖｓを印加し、時刻ｔ６から時刻ｔ１０までの保持期間Ｔｈに亘り保持電圧Ｖｈを印加させる。ゲートドライバ７は、また、走査線群であるゲート線Ｙ２〜Ｙ４上の画素Ｐ１２〜Ｐｍ２、Ｐ１３〜Ｐｍ３、Ｐ１４〜Ｐｍ４に、時刻ｔ０〜時刻ｔ４までのリセット期間Ｔｒに亘りリセット電圧Ｖｒを印加し、同様にして、走査線群であるＹ７〜Ｙ９ｍ、走査線群であるＹ１２〜Ｙ１４上の画素にも印加電圧を与える。ゲートドライバ７は、さらに、ゲート線Ｙ５の画素Ｐ１５〜Ｐｍ５に、時刻１から時刻ｔ６までのリセット期間Ｔｒに亘りリセット電圧Ｖｒを印加し、時刻ｔ６から時刻８までの選択期間Ｔｓに亘り選択電圧Ｖｓを印加し、時刻ｔ８から時刻１２までの保持期間Ｔｈに保持電圧Ｖｈを印加する。
【００３１】
ゲートドライバ７は、換言すれば、（１）時刻ｔ０に、ゲート線Ｙ１についてパイプライン方式の文字行駆動法におけるリセット期間Ｔｒでのリセット電圧Ｖｒの印加及びゲートＹ２〜Ｙ４について行間駆動法におけるリセット期間Ｔｒでのリセット電圧Ｖｒの印加を開始し、（２）時刻ｔ２に、ゲート線Ｙ５についてパイプライン方式の文字行駆動方法におけるリセット期間Ｔｒでのリセット電圧Ｖｒの印加を開始し、（３）時刻ｔ４に、ゲート線Ｙ１についてパイプライン方式の文字行駆動法における選択期間Ｔｓでの選択電圧Ｖｓの印加を開始すると共に、ゲート線Ｙ２〜Ｙ４について行間駆動法におけるリセット期間Ｔｒでのリセット電圧Ｖｒの印加を終了し、（４）時刻ｔ６に、ゲート線Ｙ１についてパイプライン方式の文字行駆動法における保持期間Ｔｈでの保持電圧Ｖｈの印加を開始すると共に、ゲート線Ｙ５についてパイプライン方式の文字行駆動法における選択期間Ｔｓでの選択電圧Ｖｓの印加を開始し、（５）時刻ｔ８に、ゲート線Ｙ８についてパイプライン方式の文字行駆動方法における保持期間Ｔｈでの保持電圧Ｖｈの印加を開始し、（６）時刻ｔ１０に、ゲート線Ｙ１についてパイプライン方式の文字行駆動法における保持期間Ｔｈでの保持電圧Ｖｈの印加を終了し、（７）時刻ｔ１２に、ゲート線Ｙ５についてパイプライン方式の文字行駆動法での保持期間Ｔｈでの保持電圧Ｖｈの印加を終了する。
【００３２】
上述したように、駆動装置１では、行間解析部４がフレームメモリ３に記憶された画像８のうち、ゲート線Ｙ１〜Ｙｎの各々に対応する画像部分が、文字行であるか行間であるかを解析し、走査制御部５が、行間解析部４による解析結果に従って、文字行を表示すべきゲート線を、パイプライン方式を採用する文字行駆動法に基づき駆動し、行間を表示すべきゲート線を、文字駆動法より短期間に駆動を終了する行間駆動法に基づき駆動することから、ゲート線Ｙ１〜Ｙｎの全てを文字行駆動法に基づき駆動していた従来のコレステリック液晶の駆動装置に比較して、ゲート線Ｙ１〜Ｙｎの全てを駆動するための所要時間を短縮することが可能になり、即ち、画像８を従来の駆動装置に比して高速に表示することが可能になる。
【００３３】
図９は、具体例のコレステリック液晶の駆動装置の他の駆動動作を示すタイムチャートである。図２に図示された画像８の一部である行間ＢＬ１、ＢＬ２、ＢＬ３に対応する走査線群であるゲート線Ｙ２〜Ｙ４、行間ＢＬ４〜ＢＬ６に対応する走査線群であるゲート線Ｙ７〜Ｙ９、行間ＢＬ７〜ＢＬ９に対応する走査線群であるゲート線Ｙ１２〜Ｙ１４を駆動する周期を相互に同一にする、即ち、同期させる図８に図示された駆動動作と異なり、図９に図示される他の駆動動作では、ゲート線Ｙ２〜Ｙ４、ゲート線Ｙ７〜９、ゲート線Ｙ１２〜Ｙ１４を駆動する周期を、選択期間Ｔｓの長さずつずれるように、即ち、非周期的にさせる。これにより、ゲート線Ｙ２〜Ｙ４、ゲート線Ｙ７〜Ｙ９、ゲート線Ｙ１２〜Ｙ１４を同時に駆動する図８に図示の駆動動作に比較して、ゲート線Ｙ２〜Ｙ４、Ｙ７〜Ｙ９、Ｙ１２〜Ｙ１４の駆動により発生する、Ｘ方向に平行な複数の線からなる縞模様が明確になることを抑えることが可能になる。
【００３４】
図１０は、具体例のコレステリック液晶の駆動装置の更に他の駆動動作を示すタイムチャートである。駆動装置１は、例えば、走査線群ゲート線Ｙ２〜Ｙ４を構成するゲート線Ｙ２、Ｙ３、Ｙ４の３つのゲート線を同時に、即ち同期的に駆動する図９に図示の駆動動作と異なり、図１０に図示の駆動動作では、例えば、前記３つのゲート線Ｙ２、Ｙ３、Ｙ４を選択期間Ｔｓの長さずつずれるように、即ち非同期的に駆動する。これにより、ゲート線Ｙ２〜Ｙ４を同期的に駆動する図９に図示の駆動動作に比較して、上記した縞模様が明確になることをより一層抑えることが可能となる。
【図面の簡単な説明】
【００３５】
【図１】具体例のコレステリック液晶の駆動装置の構成を示すブロック図。
【図２】具体例のコレステリック液晶の駆動装置が表示する画像を示す図。
【図３】画素の配向を示す断面図。
【図４】コレステリック液晶への印加電圧と配向の種類（反射率）との関係を示すグラフ。
【図５】文字行駆動法によるコレステリック液晶の駆動動作を示すタイムチャート。
【図６】行間駆動法によるコレステリック液晶の駆動動作を示すタイムチャート。
【図７】パイプライン方式を用いた文字行駆動法の駆動動作を示すタイムチャート。
【図８】具体例のコレステリック液晶の駆動装置の駆動動作を示すタイムチャート。
【図９】具体例のコレステリック液晶の駆動装置の他の駆動動作を示すタイムチャート。
【図１０】具体例のコレステリック液晶の駆動装置の更に他の駆動動作を示すタイムチャート。
【符号の説明】
【００３６】
１  コレステリック液晶の駆動装置    ２  コレステリック液晶表示体    ３  フレームメモリ    ４  行間解析部    ５  走査制御部    ６  ソースドライバ    ７  ゲートドライバ。
【図１】
2005208343.tif 000003
【図２】
2005208343.tif 000004
【図３】
2005208343.tif 000005
【図４】
2005208343.tif 000006
【図５】
2005208343.tif 000007
【図６】
2005208343.tif 000008
【図７】
2005208343.tif 000009
【図８】
2005208343.tif 000010
【図９】
2005208343.tif 000011
【図１０】
2005208343.tif 000012